【事件の表示】
　上記当事者間の登録第４００２４２０号商標の商標登録無効審判事件について、次のとおり審決する。
【結　論】
　登録第４００２４２０号の登録を無効とする。
　審判費用は被請求人の負担とする。
【理　由】
１　本件商標
　本件登録第４００２４２０号商標（以下、「本件商標」という。）は、別掲に示すとおりの構成よりなり、平成７年６月１５日に登録出願、第７類「風水力機械器具」を指定商品として、同９年５月２３日に設定登録されたものである。
　
２　請求人の引用商標
　請求人が本件商標の登録の無効理由に引用する登録第１１９４４０７号商標（以下、「引用Ａ商標」という。）は、「プロ」の文字を横書きしてなり、昭和４６年１０月２６日に登録出願、第９類「産業機械器具、動力機械器具（電動機を除く）風水力機械器具、事務用機械器具（電子応用機械器具に属するものを除く）その他の機械器具で他の類に属しないもの、これらの部品及び附属品（他の類に属するものを除く）機械要素、たゞし、かいばおけ、養鶏用かご、印刷または製本機械器具、管継手、パツキング、ガスケツトおよびこれらの類似商品を除く」を指定商品として、同５１年４月１２日に設定登録され、該登録に係る権利は、現に有効に存続しているものである。同じく、登録第１７９８５１２号商標（以下、「引用Ｂ商標」という。）は、「ＰＲＯ」の文字を横書きしてなり、昭和５５年７月３０日に登録出願、第９類「産業機械器具、動力機械器具（電動機を除く）風水力機械器具、その他の機械器具で他の類に属しないもの、これらの部品及び附属品（他の類に属するものを除く）機械要素、（たゞし、かいばおけ、養鶏用かご、印刷または製本機械器具、管継手、パツキング、ガスケツトおよびこれらの類似商品を除く）」を指定商品として、同６０年８月２９日に設定登録され、該登録に係る権利は、現に有効に存続しているものである。
　
３　請求人の主張
　請求人は、結論同旨の審決を求めると申し立て、その理由を要旨次のように述べ、証拠方法として甲第１号証ないし同第８号証（枝番を含む。）を提出した。
（１）商標登録の無効の理由の要点
　本件商標は、請求人所有の引用Ａ商標（甲第１号証）及び引用Ｂ商標（甲第２号証）と要部を同じくする類似の商標であり、その商標に係る指定商品（指定役務）と同一又は類似の商品（役務）について使用するものであるから、商標法第４条第１項第１１号に該当し商標登録を受けることができないものである。
　したがって、その登録は同法第４６条第１項第１号により、無効にされるべきものである。
（２）本件商標の登録は無効とすべきである理由
（ａ）本件商標の説明
　本件商標は．甲第３号証の商標公報に掲載の如く、「Ｈ−ＰＲＯ」の欧文字を、普通に用いられる方法で書してなり．これより「エッチプロ」「エイチプロ」の称呼が生じることは申すまでもないものである。
　また．本件商標中「Ｈ」と符号「−」の文字部分は、種々の業界で、自己の生産若しくは販売に係る商品の規格・型式・種別・品番等を表す記号・符号として普通に採択・使用されている　”ローマ文字１字（ないし２字）”とこれを介する「−」の符号にすぎないものであるから、自他商品の識別標識としての機能を果し得るのは、「ＰＲＯ」の文字部分にあると判断すべきものである。
　このため、簡易迅速を尊ぶ商取引の実際にあっては、「ＰＲＯ」の欧文字部分を捉え、単に「プロ」の称呼のみをもって取引されることも決して少なくない。
　もちろん、このような結合態様の商標が、全て分離観察されるというものではなく、結合全体が一体不可分の観念を想起せしめるような場合は、その称呼全体が一連に称呼され得るとの審決もある。
　例えば、甲第４号証の１及び同第４号証の２の審決に示すような事例である。
「Ｑ−ＣＨＡＮ」の場合、「キュ−チャン」との愛称をローマ字したものと認定されている。
「Ｇ−ＺＯＮＥ」については、全体として「Ｇ地域」「Ｇ地帯」の如くある地域・地帯を表示したものと認識されるとの判断がなされている。
　このように、「ローマ文字１字（〜２字）」の結合される要部というべき文字が、愛称を表す「ＫＵＮ」「ＳＡＮ」等の場合、或いは、場所・団体を表す「ＭＡＲＴ」「ＳＴＲＥＥＴ」「ＲＯＡＤ」「ＣＬＵＢ」「ＴＥＣ」のような場合、独自の観念が生じ易く、一連の称呼を認め得ることもあり得る。
　しかし、本件商標における「ＰＲＯ」は、このような文字とは性質を異にしているために、「Ｈ−ＰＲＯ」を例えば「セミ・プロ」「ノン・プロ」「マス・プロ」等のように常に構成全体をもって一体的に把握・観念しなければならないような事情はない。
　現に、御庁の「商標出願・登録情報」においても．甲第５号証に示すような商標については、ローマ文字１字及び符号「−」を除いた文字部分の称呼についても表示がなされている。
　ところが、本件商標「Ｈ−ＰＲＯ」の情報においては、甲第６号証における如く、「エッチプロ」「エイチプロ」の２称呼のみしか入出力されていないのである。
　即ち、具体的な類否審査以前の問題として、「プロ」の称呼入力がないために機械チェックの段階で、引用Ａ商標「プロ」及び引用Ｂ商標「ＰＲＯ」が出力さえされず対比観察が行なわれなかったとしか理解し難いところである。
　本件商標の出願情報（審査記録）に、「拒絶理由通知」の形跡さえ見られないのは、このようなケースにおいて通常考えられないことであり、このこと自体が「プロ」の称呼の入力漏れを示唆するものである。
　「プロ」の入力漏れさえなければ、機械チェックの段階で引用Ａ商標「プロ」及び引用Ｂ商標「ＰＲＯ」が類似候補として出力され、この結果、本件商標は両引用商標に類似するとして登録を受けることができなかったものと考えられる。
（ｂ）証拠の説明
　甲第１号証の１ないし同第１号証の２は、引用Ａ商標「プロ」の商標公報及び登録原簿を、また，甲第２号証の１ないし同第２号証の２は、引用Ｂ商標「ＰＲＯ」の商標公報及び登録原簿を示すものである。
　甲第３号証は、本件商標公報であり、甲第４号証ないし同第６号証については、既に「（ａ）本件登録商標の説明」で説明している。
　甲第７号証は、「”ローマ文字１字−”の結合商標に係る（類否）審決」を調査し、これをリストアップしたものである。何れも ”商標Ａと商標Ｂは類似”と認定されたもので、６７件もの多数に上っている。……※リストアップ対象からは、”ローマ文字１字−”が語尾に位置するケース、ハイフン（−）以外のドット（．）、中黒（・）、スペース等で結合されたもの、更には、 ”ロ−マ文字２字”−」のケースを敢えて除外しているが、これらを含めると（Ｓ５２．０６．０６審決よりＨＩＯ．１０．２０審決迄に）３２０件もの ”類似審決”の実例が存在することになる。
　この件数のみをもってしても．「ローマ文字１字−」が自他商品の識別標識としての機能を有するものでないことを示唆するところである。
　これらのうち、請求人が入手した２５の審決公報を甲第８号証の１ないし同８号証の２５として提出する。
（ｃ）本件商標と証拠に記載された登録商標との対比
　前記の如く、甲第８号証の中には、「ローマ字１字−□□□」という結合商標と、対比される他の商標「□□□」にあって、後者の「□□□」部分が結合商標であったり、前者の該部分と必ずしも称呼同一でないケースが含まれている。「ＲｕｇＰｌａｎ」と「Ｇ−ＰＬＡＮ」、「ＮＰ−ＭＡＴＩＣ」と「Ｎ−ＭＡＴＩＣ」、「Ｑ−ＣＥＬ」と「ＳＨＥＬＬ」、「パラパウダ−」と「Ｃ−ＰＡＲＡ＼シー・パラ」、「ＳＵＰＥＲ　ＳＰＡＣＥ＼スーパースペース」と「Ｋ−ＳＰＡＣＥ」、「Ｄ−ＴＲＡＮ」と「ＭＩＮＩＴＲＡＮ」、「Ｄ−ＶＥＣ」と「ＶＥＣ−Ｔ」の各事案がこのケースに該当する。もちろん、これらは全て誤認混同を生じるおそれのある類似の商標と審決されている。
　これに対して、本件商標「Ｈ−ＰＲＯ」と引用Ａ商標「プロ」にあっては、後者が結合商標に非ず、しかも前者の要部の称呼と後者のそれとは全く同一の称呼という関係にあり、また、本件商標と引用Ｂ商標「ＰＲＯ」にあっては、後者が結合商標に非ず、しかも前者の要部と後者のそれとは称呼と綴り字をも同一にしているのであるから、前記事例以上に誤認混同の生じる懸念は大きいと言わざるを得ない。
　甲第８号証の証拠全体と比較しても、本件商標「Ｈ−ＰＲＯ」のみが、それら証拠に示された「ローマ字１字−」商標と異なり「Ｈ−ＰＲＯ」全体を一体不可分のものとして把握されるべき事情を見出すことはできない。
（４）むすび
　本件商標は、請求人所有の引用Ａ商標及び引用Ｂ商標と類似の商標であり、その商標に係る指定商品（指定役務）は、引用Ａ商標及び引用Ｂ商標の指定商品に包含されるものであるから、商標法第４条第１項第１１号に該当し商標登録を受けることができないものと確信する。
　
４　被請求人の答弁
　被請求人は、答弁していない。
　
５　当審の判断
　本件商標は、別掲に示すとおり「Ｈ−ＰＲＯ」の文字を書してなるものである。そして、本件商標を構成する「Ｈ−ＰＲＯ」の文字が一体のものとして特定の意味内容を有する語であることが、取引者、需要者の間において知られているものとは認められないところである。
　しかして、本件商標の指定商品である機械器具を取り扱う業界においては、自己の生産若しくは販売に係る商品の規格、品番等表示するための記号、符号としてローマ字の１字が類型的に採択、使用されており、これと他の文字とをハイフンで結合して表すことも普通に行われていることからすると、簡易迅速を尊ぶ取引の実際にあっては、本件商標に接する取引者、需要者は、これを分離して把握することが十分にあり得るものであって、本件商標からは構成文字全体の称呼が生ずると共に、構成中の後半の「ＰＲＯ」の文字部分が自他商品の識別標識としての機能を果たすものといえ、この文字部分に相応する称呼をも生じ得るものというのが相当である。
　そうとすれば、本件商標は、構成文字全体として「エッチプロ」、「エイチプロ」の称呼が生ずる他、単に「プロ」の称呼をも生ずるものといわなければならない。
　他方、引用Ａ商標及び引用Ｂ商標は、「プロ」、「ＰＲＯ」のそれぞれの構成文字に相応して、いずれも「プロ」の称呼を生ずるものである。
　してみれば、本件商標と引用Ａ・Ｂ商標とは、電話等口頭による取引が普通に行われる取引社会の実情よりすると、商標より生ずる称呼をもって取引指標とする場合も少なからずあるといえるから、その外観及び観念の点について考慮したとしても、「プロ」の称呼において類似する商標といわざるを得ず、かつ、本件商標の指定商品は引用Ａ・Ｂ商標の指定商品中に包含されているものであるから、指定商品において同一又は類似するものである。
　したがって、本件商標は、商標法第４条第１項第１１号に違反して登録されたものであるから、同法第４６条第１項第１号の規定により、その登録を無効とすべきものとする。
　よつて、結論のとおり審決する。